(57)【特許請求の範囲】
【請求項１】
画像形成装置本体と、
前記画像形成装置本体の上方に配置された構造体と、
前記画像形成装置本体に対して回転軸を中心に回転するように前記構造体を前記画像形成装置本体に装着し、前記構造体を前記画像形成装置本体の上向きの面に下方から支持される第１の位置と前記画像形成装置本体の上向きの面との間の空間が拡張される第２の位置との間で移動可能にする装着機構と、
前記第２の位置に配置された状態にある前記構造体を下方から支持するアーム部材であって、一端側が前記構造体に装着され、他端側が前記画像形成装置本体に装着されている支持部材によって支持されていて、前記他端側に、前記アーム部材の長手方向と交わる方向であって、前記支持部材から遠ざかる方向に突き出る突出部を有し、前記他端側に直線部をさらに有する前記アーム部材と、
前記アーム部材を付勢する付勢部材と、
を有し、
前記アーム部材は、前記構造体が前記第２の位置にある場合に、前記直線部が、前記付勢部材によって前記支持部材の上向きの平面に押し付けられるようにして静止する
画像形成装置。
【請求項２】
前記直線部は、前記アーム部材の長手方向に対して傾斜している請求項１記載の画像形成装置。
【請求項３】
前記アーム部材を案内する案内部をさらに有し、
前記案内部は、前記構造体に設けられている請求項１又は２記載の画像形成装置。
【請求項４】
第１の構造体と、
前記第１の構造体の上方に配置された第２の構造体と、
前記第１の構造体に対して回転軸を中心に回転するように前記第２の構造体を前記第１の構造体に装着し、前記第２の構造体を前記第１の構造体の上向きの面に下方から支持される第１の位置と前記第１の構造体の上向きの面との間の空間が拡張される第２の位置との間で移動可能にする装着機構と、
前記第２の位置に配置された状態にある前記第２の構造体を下方から支持するアーム部材であって、一端側が前記第２の構造体に装着され、他端側が前記第１の構造体に装着されている支持部材によって支持されていて、前記他端側に、前記アーム部材の長手方向と交わる方向であって、前記支持部材から遠ざかる方向に突き出る突出部を有し、前記他端側に直線部をさらに有する前記アーム部材と、
前記アーム部材を付勢する付勢部材と、
を有し、
前記アーム部材は、前記第２の構造体が前記第２の位置にある場合に、前記直線部が、前記付勢部材によって前記支持部材の上向きの平面に押し付けられるようにして静止する
開閉装置。
【発明の詳細な説明】
【技術分野】
【０００１】
本発明は、画像形成装置及び開閉装置に関する。
【背景技術】
【０００２】
特許文献１には、用紙に画像を形成するための画像形成ユニットと、前記画像形成ユニットの上面に設けられ、前記画像形成ユニットによる画像形成後の用紙が排出される排紙トレイと、前記排紙トレイの上方に設けられ、原稿の画像を読み取る画像読取ユニットと、前記排紙トレイの上方を覆う閉位置と該排紙トレイの上方を開放する開位置との間で、前記画像読取ユニットが画像形成ユニットに対して第一の回動中心を中心として回動可能となるように、前記画像形成ユニットと前記画像読取ユニットとを連結する連結部材と、前記連結部材とは異なる位置に設けられ、前記画像読取ユニットの前記開位置を越える開放方向への回動を規制する回動規制部材と、を備えることを特徴とする画像形成装置が開示されている。
【０００３】
特許文献２には、平面視にて略長方形状の箱状部材から構成されていて上部に排紙口及び排紙トレイが設けられた下側筐体を備えた、画像形成部と、平面視にて略長方形状に形成されていて前記排紙トレイを上方から覆うように前記画像形成部の上方に配置された上側筐体を備え、前記略直方体形状における外縁の近傍位置に設けられた回動中心軸を中心として回動し得るように前記下側筐体によって支持された、画像読取部と、を備え、前記下側筐体は、前記回動中心軸の一端側に設けられていて、前記上側筐体を下方から支持し得るように構成された第１側方支持部と、前記回動中心軸の前記一端側とは異なる他端側に設けられていて、前記上側筐体を下方から支持し得るように構成された第２側方支持部と、を備え、前記第１側方支持部の、前記回動中心軸から遠い側の端部は、前記上側筐体における前記回動中心軸から離隔した自由端側の角部である第１上側角部を下方から支持するように設けられ、前記第１上側角部の真下に位置する前記下側筐体の角部である第１下側角部は、前記第１側方支持部の前記端部と連続するように設けられ、前記第２側方支持部の、前記回動中心軸から遠い側の端部は、前記上側筐体における前記自由端側の角部である第２上側角部よりも前記回動中心軸側にオフセットした位置に設けられ、前記第２上側角部の真下に位置する前記下側筐体の角部である第２下側角部には、前記第２上側角部が当該第２下側角部から突出するように、凹部が形成されていることを特徴とする、画像形成装置が開示されている。
【０００４】
特許文献３には、外部デバイスの接触部と電気的に接続するために該接触部の挿入を可能とする開口部が当該装置の外装面材に設けられてなる画像処理装置であって、上記外装面材に設けられ、少なくとも当該装置の正面から該正面に隣接するいずれかの側面に連続するように延びる凹陥部と、当該装置の筐体のうち上記凹陥部より下側を構成する下側筐体と、当該装置の筐体のうち上記凹陥部より上側を構成し、上記下側筐体に対して上下方向に分離可能な上側筐体と、当該装置の背面側を支点として上記上側筐体を上記下側筐体に対して回動可能に支持する回動機構と、を備え、上記開口部は、当該装置の正面側の上記凹陥部の奥面に設けられており、当該装置の側面側の上記凹陥部は、上記上側筐体が回動される際の持ち手を構成するものである画像処理装置が開示されている。
【０００５】
特許文献４には、画像形成本体部の上方に排紙空間を介して画像読取本体部が持ち上げられて支持される胴内排紙型の画像形成装置であって、記録媒体に画像を形成するための画像形成部と、前記画像形成部の上方に設けられ、前記画像形成部で画像が形成された前記記録媒体が排出される載置部と、前記画像形成部の上方において幅方向に間隔を隔てて１対設けられる被当接部とを備える画像形成本体部と、静止された原稿の画像情報を読み取り可能な画像読取部を備え、前記画像形成本体部の上方に配置され、前記載置部が露出または被覆されるように前記画像形成本体部に対して開閉自在に設けられる画像読取本体部とを備え、前記画像読取本体部は、前記画像読取部から水平方向に突出し、前記画像読取本体部を開閉させるときに把持される第１把持部と、前記画像読取部において幅方向に間隔を隔てて１対設けられ、前記画像形成本体部に向かって下方に延び、前記画像読取本体部が閉位置にあるときに幅方向で同じ側にある前記被当接部に当接する当接部とを備え、前記載置部及び前記被当接部は、前記画像形成本体部上部に設けられ、前記排紙空間は、前記載置部の上面と前記画像読取本体部の下面とによって挟まれるとともに、前記当接部が前記被当接部に当接することで一体となった前記当接部および前記被当接部によって幅方向両側から挟まれており、前記第１把持部の端部は、前記当接部の下端縁から上方に間隔を隔てた位置に配置され、前記当接部は、その上端部から下端部までの間において、前記第１把持部の突出方向下流側へ向かって、前記下端部に把持手が届くことを防止する程度に、膨出していることを特徴とする、画像形成装置が開示されている。
【先行技術文献】
【特許文献】
【０００６】
【特許文献１】特開２００６−１１９４７４号公報
【特許文献２】特許４２０７０７９号公報
【特許文献３】特許４３５６６６８号公報
【特許文献４】特許４３８９１７７号公報
【発明の概要】
【発明が解決しようとする課題】
【０００７】
本発明は、構造体が開いた状態で構造体を下方から支持するアーム部材が静止する開閉装置を提供することを目的とする。
【課題を解決するための手段】
【０００８】
請求項１に係る本発明は、画像形成装置本体と、前記画像形成装置本体の上方に配置された構造体と、前記画像形成装置本体に対して回転軸を中心に回転するように前記構造体を前記画像形成装置本体に装着し、前記構造体を前記画像形成装置本体の上向きの面に下方から支持される第１の位置と前記画像形成装置本体の上向きの面との間の空間が拡張される第２の位置との間で移動可能にする装着機構と、前記第２の位置に配置された状態にある前記構造体を下方から支持するアーム部材であって、一端側が前記構造体に装着され、他端側が前記画像形成装置本体に装着されている支持部材によって支持されていて、前記他端側に直線部を有するアーム部材と、前記アーム部材を付勢する付勢部材と、を有し、前記アーム部材は、前記構造体が前記第２の位置にある場合に、前記直線部が、前記付勢部材によって前記支持部材の上向きの平面に押し付けられるようにして静止する画像形成装置である。
【０００９】
請求項２に係る本発明は、前記アーム部材を案内する案内部をさらに有し、前記案内部は、前記構造体に設けられている請求項１記載の画像形成装置である。
【００１０】
請求項３に係る本発明は、第１の構造体と、前記第１の構造体の上方に配置された第２の構造体と、前記第１の構造体に対して回転軸を中心に回転するように前記第２の構造体を前記第１の構造体に装着し、前記第２の構造体を前記第１の構造体の上向きの面に下方から支持される第１の位置と前記第１の構造体の上向きの面との間の空間が拡張される第２の位置との間で移動可能にする装着機構と、前記第２の位置に配置された状態にある前記第２の構造体を下方から支持するアーム部材であって、一端側が前記第２の構造体に装着され、他端側が前記第１の構造体に装着されている支持部材によって支持されていて、前記他端側に直線部を有するアーム部材と、前記アーム部材を付勢する付勢部材と、を有し、前記アーム部材は、前記第２の構造体が前記第２の位置にある場合に、前記直線部が、前記付勢部材によって前記支持部材の上向きの平面に押し付けられるようにして静止する開閉装置である。
【発明の効果】
【００１１】
請求項１に係る本発明によれば、構造体が開いた状態で構造体を下方から支持するアーム部材が静止することができる画像形成装置を提供することができる。
【００１２】
請求項２に係る本発明によれば、請求項１に係る本発明が奏する効果を奏することに加えて、本構成を有しない場合と比較して構造体が開いた状態で構造体を下方から支持するアーム部材が静止しやすくすることができる画像形成装置を提供することができる。
【００１３】
請求項３に係る本発明によれば、構造体が開いた状態で構造体を下方から支持するアーム部材が静止することができる開閉装置を提供することができる。
【図面の簡単な説明】
【００１４】
【図１】本発明の実施形態に係る画像形成装置を右側面から示す断面図である。
【図２】図１に示す画像形成装置を右側面側から一部を破断して示す図である。
【図３】図１に示す画像形成装置が有する画像形成装置本体を示し、図３（ａ）は左側面図であり、図３（ｂ）は正面図であり、図３（ｃ）は右側面図である。
【図４】図１に示す画像形成装置を示す斜視図である。
【図５】図１に示す画像形成装置が有する原稿読取装置を示し、図１におけるＡ―Ａ面の断面を示す断面図である。
【図６】図５に示す原稿読取装置を示し、図１におけるＢ―Ｂ面の断面を示す断面図である。
【図７】図５に示す原稿読取装置に取り付けられた案内部材を示す図である。
【図８】図１に示す画像形成装置が有する緩衝装置を示し、原稿読取装置が画像形成装置本体から開いた状態にある際の緩衝装置を示す斜視図である。
【図９】図８に示す緩衝装置を示し、原稿読取装置が画像形成装置に対して閉じた状態にある際の緩衝装置を示す斜視図である。
【発明を実施するための形態】
【００１５】
次に、本発明を実施するための形態を図面を参照して説明する。
図１及び図２には、本発明の実施形態に係る画像形成装置１０が示されている。画像形成装置１０は、第１の構造体として用いられる画像形成装置本体３０と、排出体が排出される排出部として用いられ、記録媒体が排出される排出部６００と、構造体として用いられているとともに第２の構造体として用いられている原稿読取装置３００と、原稿読取装置３００を画像形成装置本体３０に装着する装着機構として用いられるヒンジ４００と、支持部材として用いられるアーム部材５０２、及びアーム部材５０２を案内する案内部として用いられる案内部材５１０を備えた緩衝装置５００と、画像形成装置１０を操作する操作部として用いられる操作パネル７００とを有する。また、画像形成装置１０は、例えばパーソナルコンピュータ等の外部の装置から画像データが入力されるデータ入力端子２０を有する（図４参照）。
【００１６】
画像形成装置１０は、原稿読取装置３００で読み取った画像データに基づいて記録媒体として用いられる用紙に画像を形成し、データ入力端子２０から入力された画像データに基づいて用紙に画像を形成する。また、画像形成装置１０は、例えば電話回線に接続可能であり、この電話回線を介して入力された画像データに基づいて用紙に画像を形成する。また、画像形成装置１０は、原稿読取装置３００で読み取った画像データを電話回線を介して送信し、データ入力端子２０から入力されたデータを電話回線を介して送信する。
【００１７】
画像形成装置本体３０の前側の面には、給紙用開閉部１１０が設けられている。給紙用開閉部１１０は、ヒンジ１１２を用いて画像形成装置本体３０に開閉することができるように装着されている。図１には、給紙用開閉部１１０が画像形成装置本体３０に対して開かれた状態が示され、図２には、給紙用開閉部１１０が画像形成装置本体３０に対して閉じられた状態が示されている。また、画像形成装置本体３０には、画像が形成された用紙を排出するために用いられる排出孔３２が形成されている。
【００１８】
画像形成装置本体３０内には、像形成部１２０と、給紙装置１６０とが装着されている。また、画像形成装置本体３０内には、搬送路１８０が形成されている。像形成部１２０は、像保持体として用いられる感光体ドラム１２２と、感光体ドラム１２２の表面を帯電する帯電装置１２４と、帯電装置１２４によって帯電された感光体ドラム１２２の表面に光を照射することで感光体ドラム１２２の表面に潜像を形成する潜像形成装置１２６と、潜像形成装置１２６によって感光体ドラム１２２の表面に形成された潜像を現像剤を用いて現像する現像装置１２８と、現像装置１２８による現像で感光体ドラム１２２の表面に形成された現像剤像を用紙に転写する転写装置１３０と、転写装置１３０による転写の後に感光体ドラム１２２の表面に残留する現像剤を清掃する清掃装置１３２と、転写装置１３０によって用紙に転写された現像剤像を用紙に定着する定着装置１４０とを有する。
【００１９】
給紙装置１６０は、用紙を積層した状態で収納する、例えば１つの用紙収納部１６２と、用紙収納部１６２に収納された用紙を送り出す送出ロール１６４とを有する。一定以上の大きさの用紙を用紙収納部１６２に収納するには、給紙用開閉部１１０が開いた状態とされ、このような用紙が収納されると用紙の後端部側が画像形成装置本体３０からはみ出し、用紙のはみ出した部分が給紙用開閉部１１０に重力方向下側から支持された状態となる。
【００２０】
搬送路１８０は、給紙装置１６０から転写装置１３０に向けて用紙を搬送し、さらに排出部６００へと用紙を搬送するために用いられる搬送路である。搬送路１８０に沿って、用紙の搬送方向における上流側から順に、先述の送出ロール１６４、搬送ロール１８２、レジストロール１８４、先述の転写装置１３０、先述の定着装置１４０、及び排出ロール１８６が設けられている。
【００２１】
搬送ロール１８２は、用紙をレジストロール１８４に向けて搬送する。レジストロール１８４は、転写装置１３０に向けて搬送される用紙の先端部の転写装置１３０側に向けての移動を一時的に停止させ、感光体ドラム１２２に形成された現像剤像が転写装置１３０の位置に到達するタイミングに合致するように、用紙の先端部の転写装置１３０に向けての移動を再開させる。排出ロール１８６は、定着装置１４０で現像剤像が定着された用紙を排出部６００に向けて搬送する。
【００２２】
排出部６００は、画像形成装置本体３０の上向きの面３４に設けられていて、用紙が排出される方向である前方向（図１における前方向）に、面３４から延長自在である延長部６１０を有している。延長部６１０は、面３４から用紙の排出方向に延長することができる第１の延長部材６１４と、第１の延長部材からさらに前方向に延長することができる第２の延長部材６２０とを有している。延長部６１０は、画像が形成された用紙の面３４からはみ出した部分を重力方向下側から支持する。
【００２３】
原稿読取装置３００は、原稿読取装置本体３０２を有し、排出部６００との間に空間Ｓを形成するように、画像形成装置本体３０の上方に配置されている。
【００２４】
ヒンジ４００は、画像形成装置本体３０に対して回転軸４１０を中心に回転するように原稿読取装置３００を画像形成装置本体３０に装着している。また、ヒンジ４００は、図１に示す第１の位置と、図２に示す第２の位置との間で原稿読取装置３００が移動することができるように、原稿読取装置３００を画像形成装置本体３０に装着している。ここで、第１の位置とは、原稿読取装置３００が画像形成装置本体３０の上向きの面３４に下方から支持される位置である。また。第２の位置とは、原稿読取装置３００が第１の位置に配置されている場合と比較して、空間Ｓが拡張された状態にある位置である。
【００２５】
緩衝装置５００は、原稿読取装置３００の回転軸４１０を中心とする回転動作による衝撃を緩衝するために用いられていて、画像形成装置１０の右側（図２における手前側）と画像形成装置１０の左側（図２における奥側）とに、それぞれ１つが配置されている。これら２つの緩衝装置５００のうちの右側に配置された緩衝装置５００が図２に示され、左側に配置された緩衝装置５００は図示が省略されている。右側に配置された緩衝装置５００と左側に配置された緩衝装置５００との構成は同じである。
【００２６】
緩衝装置５００は、先述のようにアーム部材５０２と、案内部材５１０とを有し、さらにコイルスプリング５６０を有する。アーム部材５０２は、一端５０４側が案内部材５１０を介して原稿読取装置３００に装着されていて、他端５０６側が画像形成装置本体３０に側に装着されている。また、アーム部材５０２は、第２の位置（図２に示す位置）に配置された原稿読取装置３００を下方から支持している。案内部材５１０は、アーム部材５０２を案内する部材であり、原稿読取装置３００に設けられている。コイルスプリング５６０は、アーム部材５０２を付勢する付勢部材として用いられている。緩衝装置５００の詳細は後述する。
【００２７】
画像形成装置１０においては、原稿読取装置３００が第１の位置に配置された状態で操作者が空間Ｓに手を挿入して排出部６００に排出された用紙を取り出しても良いし、原稿読取装置３００を第２の位置に移動させ、空間Ｓを拡張した後に操作者が空間Ｓに手を挿入して排出部６００に排出された用紙を取り出しても良い。例えば、ハガキ等の比較的に小さい用紙を排出部６００から取り出す場合、空間Ｓの奥側まで手を挿入することを要するため、原稿読取装置３００が第１の位置にある状態で用紙を取り出すよりも、原稿読取装置３００を第２の位置に移動させ、空間Ｓを拡張した後に用紙を取り出す方が用紙が取り出しやすい。
【００２８】
図３には、画像形成装置本体３０が示されている。図３に示すように、画像形成装置本体３０には、排出部６００から用紙が取り出される側の面である前面３８と、回転軸４１０の方向における一方の側の面である右側面４０とにまたがるように切り欠き５０が形成されている。切り欠き５０は、前面３８よりも画像形成装置本体３０の内側に形成される空間であり、右側面４０よりも画像形成装置本体３０の内側に形成される空間である。また、切り欠き５０は、排出部６００と原稿読取装置３００との間に形成される空間である空間Ｓと連続している。
【００２９】
切り欠き５０は、切り欠き５０を介して、空間Ｓに前面３８の側から又は右側面４０の側から例えば右手を挿入し、例えば右手を排出部６００まで伸ばして排出部６００に排出された用紙を前面３８の側に取り出す際に用いられる。また、切り欠き５０は、切り欠き５０を介して、前面３８の側から又は右側面４０の側から例えば右手を空間Ｓに挿入し、第１の位置（図１参照）にある原稿読取装置３００の下側を例えば右手で押し上げて、原稿読取装置３００を第２の位置（図２参照）へと回移転するように移動させる際に用いられる。
【００３０】
図４は、画像形成装置１０を示す斜視図である。図４に示すように、操作パネル７００は、例えば、ファクシミリの送信先の番号を入力する際に押圧される押圧部や、画像形成を開始する際に押圧される押圧部等を有する。また、操作パネル７００は、原稿読取装置３００が有する原稿読取装置３００の上向きの面に取り付けられていて、画像形成装置１０の前側に配置されている。また、原稿読取装置本体３０２の操作パネル７００が設けられた位置と画像形成装置本体３０との間に切り欠き５０が位置している。また、操作パネル７００は、原稿読取装置３００の回転軸４１０の方向における切り欠き５０の側に設けられている。
【００３１】
操作パネル７００を例えば右手で操作する場合、操作をしない側の手である左手を画像形成装置１０に掛けることがある。この実施形態に係る画像形成装置１０では、操作パネル７００の下側には切り欠き５０が位置しているものの、原稿読取装置３００の左手が掛けられことが多い位置である左端部７１０側は画像形成装置本体３０によって重力方向下側から支持されている。
【００３２】
図５及び図６には、原稿読取装置３００が示されている。原稿読取装置３００は、先述のように原稿読取装置本体３０２を有し、原稿読取装置本体３０２の下向きの面には、先述の右側に位置する緩衝装置５００の案内部材５１０と、左側に位置する緩衝装置５００の案内部材５１０とが装着されている。また、原稿読取装置本体３０２は、先述のヒンジ４００（図１、図２を参照）を用いて画像形成装置本体３０に装着される部分である被装着部３１０、３１０を有している。
【００３３】
また、図５に示すように、原稿読取装置３００は、光を透過する材料からなるプラテン部材３１２有していて、原稿読取装置本体３０２が原稿の置かれる読取台として用いられている。また、原稿読取装置本体３０２には、原稿読取装置本体３０２に対して開閉可能なプラテンカバー部３２２が装着されている。
【００３４】
原稿読取装置本体３０２内には、原稿に光を照射し、照射した光の原稿からの反射光に基づいて原稿を読み取る読取部３３０が装着されている。また、プラテンカバー部３２２内には、原稿Ｄを自動で搬送する原稿搬送装置３２６が装着されている。原稿読取装置３００は、原稿搬送装置３２６により搬送中の原稿Ｄを流し読みする機能と、プラテン部材３１２上に載置された原稿Ｄを読み取る機能とを備えている。
【００３５】
原稿搬送装置３２６は、読取前の原稿Ｄがセットされる原稿台３４０と、原稿を搬送する原稿搬送路３５０と、画像を読み取った後の原稿が排出される排出台３６０とを有する。
【００３６】
読取部３３０は、光源３４２と、レンズ３４４と、光電変換素子３４６を有し、光源３４２が原稿に光を照射し、その反射光をレンズ３４４で集光し、集められた光を光電変換素子３４６が受光して信号に変換する。
【００３７】
図７には、案内部材５１０が示されている。図７に示すように、案内部材５１０には案内孔５１２が形成されている。案内孔５１２には、アーム部材５０２（図２を参照）に形成された後述する突起５３６（図８、図９を参照）が挿入される。案内部材５１０は、突起５３６が案内孔５１２内で回転することができ、突起５３６が案内孔５１２内で移動することができるようにアーム部材５０２を支持する。このように突起５３６が案内孔５１２内を移動するため、アーム部材５０２の移動が案内部材５１０によって案内される。
【００３８】
案内部材５１０は、原稿読取装置３００に取り付けられている。このため、この画像形成装置１０においては、画像形成装置本体３０側にアーム部材５０２を案内する案内部材を設ける場合と比較して、空間Ｓの排出部６００側が広くなり、空間Ｓに例えば右手を挿入する際の障害物が少なくなる。
【００３９】
図８及び図９には、緩衝装置５００が示されている。先述のように、緩衝装置５００は、アーム部材５０２と、コイルスプリング５６０とを有し、さらにアーム部材５０２を回転することができ、移動することができるように支持する支持部材５６４を有する。
【００４０】
アーム部材５０２は、互いに向かい合う２つの側板部５４４、側板部５４６と、側板部５４４及び側板部５４６と略垂直であって、側板部５４４と側板部５４６とを連結する連結部５４８とを有している。また、アーム部材５０２は、案内部材５１０の案内孔５１２（図７参照）に挿入される突起５３６を有する。突起５３６は、アーム部材５０２の一端５０４側に右側から左側に突出するように形成されている。また、アーム部材５０２は、コイルスプリング５６０の一端部側が装着されるスプリング装着部５３８を有する。
【００４１】
また、アーム部材５０２は、他端５０６側に直線形状からなる直線部５４０、５４０を有している。直線部５４０は、側板部５４４と側板部５４６とにそれぞれに形成されている。画像形成装置本体３０から開いた状態にある原稿読取装置３００を支持する状態である図８に示す状態において、直線部５４０、５４０は、支持部材５６４の上向きの平面にコイルスプリング５６０によって押し付けられ、直線部５４０、５４０が押し付けられることで、アーム部材５０２が静止する。このように、アーム部材５０２は、画像形成装置本体３０から開いた状態にある原稿読取装置３００を支持し、画像形成装置本体３０から開いた状態にある原稿読取装置３００を支持する位置で静止するようになっている。
【００４２】
アーム部材５０２は、原稿読取装置３００が、空間Ｓが拡張される位置であり、画像形成装置本体３０に対して開かれた位置である第２の位置に配置された状態において、他端５０６側が一端５０４側よりも画像形成装置本体３０に設けられた排出部６００から用紙が取り出される側の面である前面３８から離れた位置にあるように傾いている（図２も参照）。このため、この画像形成装置１０においては、他端５０６側が一端５０４側よりも画像形成装置本体３０に設けられた排出部６００から用紙が取り出される側の面である前面３８に近い位置にあるように傾いている構成と比較して、空間Ｓの排出部６００側が広くなり、空間Ｓに例えば右手を挿入する際の障害物が少なくなる。
【００４３】
支持部材５６４は、コイルスプリング５６０の他端部が装着されるスプリング装着部５６６を有し、画像形成装置本体３０（図１参照）に装着されている。すなわち、アーム部材５０２は、支持部材５６４を介して他端５０６側が画像形成装置本体３０に装着されている。
【００４４】
コイルスプリング５６０は、アーム部材５０２に対して排出部６００から用紙が取り出される側の面である前面３８と逆側に配置されている。このため、この画像形成装置１０においては、コイルスプリング５６０がアーム部材５０２に対して前面３８と同じ側に配置されている場合と比較して、空間Ｓの排出部６００側が広くなり、空間Ｓに例えば右手を挿入する際の障害物が少なくなる。
【産業上の利用可能性】
【００４５】
以上で説明をしたように、本発明は、複写機、ファクシミリ装置、プリンター等の画像形成装置と、開閉装置とに適用することができる。
【符号の説明】
【００４６】
１０・・・画像形成装置
３０・・・画像形成装置本体
３４・・・上向きの面
３８・・・前面
４０・・・右側面
３００・・・原稿読取装置
３０２・・・原稿読取装置本体
４００・・・ヒンジ
４１０・・・回転軸
５００・・・緩衝装置
５０２・・・アーム部材
５０４・・・一端
５０６・・・他端
５１０・・・案内部材
５６０・・・コイルスプリング
６００・・・排出部
Ｓ・・・空間
【図１】
0005958777.tif 000002
【図２】
0005958777.tif 000003
【図３】
0005958777.tif 000004
【図４】
0005958777.tif 000005
【図５】
0005958777.tif 000006
【図６】
0005958777.tif 000007
【図７】
0005958777.tif 000008
【図８】
0005958777.tif 000009
【図９】
0005958777.tif 000010